(57)【要約】      （修正有）【課題】足底に簡単に常時装着することができ、しかも装着性が良い足底固定具を提供する。【解決手段】着用者の足底部分１０に装着されて、固定支持される足底固定具１１であって、着用者の足底の内側の縦アーチ部分１３の形態に沿って宛がわれる内側縦アーチ支持部１４と、着用者の足底の外側の縦アーチ部分１５の形態に沿って宛がわれる外側縦アーチ支持部１６と、が熱可塑性樹脂により着用者の足底に倣って一体形成されている。【選択図】図１
0003208825.tif 000002
【実用新案登録請求の範囲】
【請求項１】
着用者の足底部分（１０）に装着されて、該足底部分（１０）を固定支持する足底固定具（１１）であって、
前記着用者の足底（１２）の内側の縦アーチ部分かっこ１３）の形態に沿って宛がわれる内側縦アーチ支持部（１４）と、
前記着用者の足底（１２）の外側の縦アーチ部分（１５）の形態に沿って宛がわれる外側縦アーチ支持部（１６）と、が熱可塑性樹脂により着用者の足底（１２）に倣って一体形成されていることを特徴とする足底固定具（１１）。
【請求項２】
前記内側縦アーチ支持部（１４）と前記外側縦アーチ支持部（１６）の足先側に設けられ、これらの前記内側縦アーチ支持部（１４）と前記外側縦アーチ支持部（１６）とを一体に連絡するとともに、横アーチ部分（１７）の形態に沿って宛がわれる前側横アーチ支持部（１８）を有することを特徴とする請求項１に記載の足底固定具（１１）。
【請求項３】
前記内側縦アーチ支持部（１４）と前記外側縦アーチ支持部（１６）の踵（１９）側には、該踵（１９）部分を覆うように支持する踵支持部（２０）を有することを特徴とする請求項１または請求項２に記載の足底固定具（１１）。
【請求項４】
前記踵支持部（２０）には、前記着用者の踵（１９）の大きさに合わせて大きさを調節可能なＶ字状の切欠（２１）からなる調節部（２２）が形成されていることを特徴とする請求項１乃至請求項３のいずれか一項に記載の足底固定具（１１）。
【考案の詳細な説明】
【技術分野】
【０００１】  本考案は、骨や関節の配列（アライメント）が変化することで形態に異常が発生する足底を固定することで正常な状態に維持する足底固定具に関する。
【背景技術】
【０００２】  人の足底は、踵部分を中心に、足の内側のいわゆる土ふまず部分を形成する内側縦アーチ部分と、足の外側を形成する外側縦アーチ部分と、これらの内側縦アーチ部分と外側縦アーチ部分とを足先側で連結する横アーチ部分とで骨格が形成されている。ところが、足関節のアライメント、つまり足関節を構成する骨や、骨同士を繋ぐ関節の配列が、種々の理由により正常な状態から、ずれてしまう場合がある。【０００３】  このような場合、痛みや、しびれ等が生じ、最悪な状態では歩行が困難になる。このため、足底の形態、すなわちアライメントを正常な状態に保つ器具が種々提案されている（特許文献１）。【０００４】  このような器具として、靴底に挿入して使用するソール型のものや、装着する使用者の足底の型を取って石膏等で形成したものや、帯状のゴムによって足底を固定するものがある。このような足底を正常な状態に固定する固定具を装着することによって、骨や関節の配列を正常な状態にしている。
【先行技術文献】
【特許文献】
【０００５】
【特許文献１】特表２０１６−５０１７０４号
【考案の概要】
【考案が解決しようとする課題】
【０００６】  しかしながら、足底を正常な状態に固定する上記従来の固定具では、靴底に挿入するソール型では、靴を履いていないときには足底を固定することができない。このため、常時固定具で足底を正常な状態に固定することができない。【０００７】  また、使用者の足底の型を取って作製した石膏等の固定具では、この固定具を足底に装着するための装着具を必要とするため、固定具を装着する場合に大掛かりになり、簡単に固定具を装着することができない。【０００８】  また、帯状のゴムによって足底を固定するものでは、人により骨や関節の配列のずれの状態が異なるので、適切な状態で足底を固定することができず、人の動きによって正規な位置からずれてしまい、装着性が悪い。【０００９】  そこで、本考案は、着用者の足底に常時装着することができ、簡単に装着することができて、しかも装着性が良い足底固定具の提供を目的とする。
【課題を解決するための手段】
【００１０】  上記目的を達成するため、本考案の一態様は、着用者の足底部分に装着されて、該足底部分を固定支持する足底固定具であって、前記着用者の足底の内側の縦アーチ部分の形態に沿って宛がわれる内側縦アーチ支持部と、前記着用者の足底の外側の縦アーチ部分の形態に沿って宛がわれる外側縦アーチ支持部と、が熱可塑性樹脂により着用者の足底に倣って一体形成されていることを特徴とする。【００１１】  また、本考案の一態様は、前記内側縦アーチ支持部と前記外側縦アーチ支持部の足先側に設けられ、これらの前記内側縦アーチ支持部と前記外側縦アーチ支持部とを一体に連絡するとともに、横アーチ部分の形態に沿って宛がわれる前側横アーチ支持部を有することを特徴とする。【００１２】  また、本考案の一態様は、前記内側縦アーチ支持部と前記外側縦アーチ支持部の踵側には、該踵部分を覆うように支持する踵支持部を有することを特徴とする。【００１３】  また、本考案の一態様は、前記踵支持部には、前記着用者の踵の大きさに合わせて大きさを調節可能なＶ字状の切欠からなる調節部が形成されていることを特徴とする。
【考案の効果】
【００１４】  本考案によれば、着用者の足底に倣って熱可塑性樹脂によって形成することにより、薄く形成することができため、靴下の中に挿入することで容易に装着することができる。また靴下内に挿入するだけなので着用者の足底に常時装着することができる。しかも、着用者の足底に倣って形成されているので着用者の足底からずれることがなく、装着器具を用いる必要がないので、良好な装着性が得られる。また、熱可塑性樹脂によって着用者の足底に合わせて形成するので、軽量で可能な限り薄く形成できる。
【図面の簡単な説明】
【００１５】
【図１】  本考案の実施の形態に係る足底固定具を足底に装着した状態を示す斜視図である
【図２】  本考案の実施の形態に係る足底固定具を足底に装着した状態を示す側面図である。
【図３】  人の足底（足裏）を示す正面図である。
【図４】  本考案の実施の形態に係る足底固定具を示し、（ａ）は足底に装着した状態を示す側面図、（ｂ）は足底から取り外した状態を示す側面図である。
【図５】  本考案の実施の形態に係る足底固定具を形成するための原板を示す平面図である。
【図６】  本考案の実施の形態に係る足底固定具を作成するための手順を示す説明図である。
【図７】  着用者の足底に合わせて足底固定具の原板を変形させた状態を示す平面図である。
【図８】  本考案の実施の形態に係る足底固定具を装着することができる靴下を示す斜視図である。
【考案を実施するための形態】
【００１６】  以下、図面を用いて、本考案に係る足底固定具の実施の形態について説明する。
［実施の形態の足底固定具の特徴］
【００１７】  図１及び図２に示すように、着用者の足底部分１０に装着されて、この足底部分１０を固定支持する。本考案の足底固定具１１は、着用者の足底１２の内側の縦アーチ部分１３の形態に沿って宛がわれる内側縦アーチ支持部１４と、着用者の足底１２の外側の縦アーチ部分１５の形態に沿って宛がわれる外側縦アーチ支持部１６と、が熱可塑性樹脂により着用者の足底１２に倣って一体形成されている。
【００１８】  また、本考案の足底固定具１１は、内側縦アーチ支持部１４と外側縦アーチ支持部１６の足先側に設けられ、これらの内側縦アーチ支持部１４と外側縦アーチ支持部１６とを一体に連絡するとともに、横アーチ部分１７の形態に沿って宛がわれる前側横アーチ支持部１８を有する。
【００１９】  また、本考案の足底固定具１１は、内側縦アーチ支持部１４と外側縦アーチ支持部１６の踵１９側には、この踵部分１９を覆うように支持する踵支持部２０を有する。
さらに、本考案の足底固定具１１は、踵支持部２０には、着用者の踵１９の大きさに合わせて大きさを調節可能なＶ字状の切欠２１からなる調節部２２が形成されている。
【００２０】  以下、実施の形態の足底固定具１１について説明する。
本実施の形態の足底固定具１１は、熱可塑性樹脂（商品名：熱可塑性ポリカプロラクトン）で成形されており、厚みは２．５ｍｍ〜３．２ｍｍであり、複数の穴２７が全体に設けられている。この足底固定具１１は、足底（足裏）に、足裏全体の形態に沿って装着されて足裏の形態を保持する。
【００２１】  上記内側縦アーチ支持部１４は、足底１２の親指２３の付け根部分２４から踵１９にかけて湾曲する内側の縦アーチ部分１３に沿って、この縦アーチ部分１３を支持し、縦アーチ部分１３の形態を維持している。また、上記外側縦アーチ支持部１５は、足底１２の小指２５の付け根部分２６から踵１９に掛けて平らなな外側縦アーチ部分１５に沿って、この縦アーチ部分１５を支持し、縦アーチ部分１５の形態を維持している。さらに、上記前側横アーチ支持部１８は、親指２３の付け根部分２４から小指２５の付け根部分２６にかかて平らな横アーチ部分１７を支持し、横アーチ部分１７の形態を維持している。
【００２２】  図１及び図３に示すように、足底（足裏）１２には、親指２３の付け根部分２４から踵１９にかけて内側に縦アーチ部分（いわゆる土踏まず）１３と、小指２５の付け部分２６から踵１９にかけて外側に縦アーチ部分１５とがあり、親指２３の付け根部分２４から小指２５の付け根部分２６にかけて横アーチ部分１７がある。
【００２３】  これらの内側の縦アーチ部分１３、外側の縦アーチ部分１５、横アーチ部分１７の形態、例えば、これらのアーチ部分１３、１５、１７の位置関係が、足の骨の変形や、筋膜の変化、筋肉の変化によってずれてしまい、足底１２が変形すると、歩行の際に足底１２としての本来の正常な機能が失われる。このため、これらの内側アーチ部分１３、外側縦アーチ部分１５、横アーチ部分１７の正常な位置関係を、本実施の形態の足底固定具１１は、保持し、維持する。すなわち、歩行していない状態（足底に力が加わっていない状態）ではアーチ部分１３、１５、１７は正常な位置関係を保っており、アーチ部分１３、１５、１７の正常な位置関係を、歩行の際にも本実施の形態の足底固定具１１は維持することができる。
【００２４】  次に、本実施の形態の足底固定具１１を、個々の患者（装着者）の足底に合わせて形成する形成方法について説明する。
図５に示すように、熱可塑性樹脂によって成形された矩形状の原板２８を、着用者の足底１２に、押し当てて、着用者の足底１２の形状に原板２８を変形させる。この際、付け根部分２４、２６、踵１９は着用者の足底１１の形態を維持する上で重要であり、この付け根部分２４、２６、踵１９を確実の着用者の足底１１に合わせて、原板２８を変形させる。このとき、踵１９部分は、切欠２１により、原板２８の両角部を折り曲げることによって、踵１９を包み込む。
【００２５】  次に、着用者の足底１１の形状に変形させた原板２８を加熱して、変形した状態で固化させる。固化させる方法としては湯せんによる加熱、ドライヤーによる加熱、電子レンジによる加熱がある。着用者の足底１２の形状に変形し、固化した状態の原板２８から、不要な部分を切断する。このとき付け根部分２４、２６、踵１９に対応する部分から一回り程度広げた位置で不要な部分を切断する。これにより、着用者専用の足底固定具１１が完成する。
【００２６】  完成した足底固定具１１は、着用者の足底１２に、例えば、ベルトを用いて装着しても良く、あるいは、靴下を履くことにより装着してもよい。さらには、図８に示すように、靴下３０にポケット２９を形成し、このポケット２９内に収納した状態で装着しても良い。
【００２７】  以上説明したように、本実施の形態の足底固定具１１によれば、着用者の足底１２に倣って熱可塑性樹脂によって形成することにより、薄く形成することができため、靴下の中に挿入することで容易に装着することができる。
【００２８】  また、靴下内に挿入するだけなので着用者の足底１２に常時装着することができる。しかも、着用者の足底１２に倣って形成されているので着用者の足底１２からずれることがなく、特に専用の装着器具を用いる必要がないので、良好な装着性が得られる。また、熱可塑性樹脂によって着用者の足底１２に合わせて形成するので、軽量で可能な限り薄く形成できる。
【００２９】  また、本実施の形態の足底固定具１１によれば、足底固定具１１は、厚さが薄い熱可塑性樹脂で形成され、しかも複数の穴が設けられているので、軽量で、通風性が良く、良好な装着感を得ることができる。
【００３０】  さらに、本実施の形態の足底固定具１１は、軟質の原板を装着者の足底に押し当てて足底の形状に倣って成形し、加熱するだけで形成することができるので、簡単に足底を補強、矯正できる足底固定具を作成することができる。
【００３１】  なお、上記実施の形態では、足底固定具１１が複数の穴２７が設けられた例を示したが、熱可塑性樹脂によるメッシュ状の原板によって形成しても良い。
【産業上の利用可能性】
【００３２】  本考案の足底固定具は、足底を固定する補助具として使用する他に、靴底内に装着してインソールとして使用したり、スリッパ等の室内履きに装着して日常生活において足底の矯正具として使用することができる。
【符号の説明】
【００３３】  １０  足底部分
１１  足底固定具
１２  足底
１３  内側の縦アーチ部分
１４  内側縦アーチ支持部
１５  外側の縦アーチ部分
１６  外側縦アーチ支持部
１７  横アーチ部分
１８  前側横アーチ支持部
【図１】
0003208825.tif 000003
【図２】
0003208825.tif 000004
【図３】
0003208825.tif 000005
【図４】
0003208825.tif 000006
【図５】
0003208825.tif 000007
【図６】
0003208825.tif 000008
【図７】
0003208825.tif 000009
【図８】
0003208825.tif 000010